(57)【要約】【課題】主に、外壁材が建物（建物ユニット）に対して横ズレするのを防止し得るようにする。【解決手段】建物に取付けられた外壁材２の横ズレを防止可能な外壁横ズレ防止金具２１が設けられる。  外壁横ズレ防止金具２１が、外壁材２の側面２２を位置規制可能な規制面２５と、規制面２５を建物に固定可能な固定面２６とを有する平面視Ｌ字状のものとされている。  固定面２６が、外壁材２間に形成される目地部３１の幅３２よりも短い幅寸法３３を有するものとされる。  そして、外壁横ズレ防止金具２１は、把持部５２と、固定面２６の幅寸法４６と同じかそれよりもよりも細い挿入端５３を備え、挿入端５３が、規制面２５を吸着保持可能な吸着部５４を有する金具取付用補助具５１によって取付けられるものとされている。【選択図】図５
2018119264.tif 000002
【特許請求の範囲】
【請求項１】
建物に取付けられた外壁材の横ズレを防止可能な金具本体が設けられ、該金具本体が、前記外壁材の側面を位置規制可能な規制面と、該規制面を建物に固定可能な固定面とを有する平面視Ｌ字状のものとされ、
前記固定面が、前記外壁材間に形成される目地部の幅よりも短い幅寸法を有しており、
把持部と、前記固定面の幅寸法と同じかそれよりもよりも細い挿入端を備えていると共に、該挿入端が、前記規制面を吸着保持可能な吸着部を有している金具取付用補助具によって取付けれることを特徴とする外壁横ズレ防止金具。
【請求項２】
請求項１に記載の外壁横ズレ防止金具であって、
少なくとも前記規制面および前記固定面のうちの一方の、少なくとも１つの角部が角取りされていることを特徴とする外壁横ズレ防止金具。
【請求項３】
請求項１または請求項２に記載の外壁横ズレ防止金具であって、
平面視Ｌ字状をした前記金具本体における、前記規制面と前記固定面との屈曲角度が鈍角とされていることを特徴とする外壁横ズレ防止金具。
【発明の詳細な説明】
【技術分野】
【０００１】
この発明は、外壁横ズレ防止金具に関するものである。
【背景技術】
【０００２】
例えば、戸建住宅などの建物には、予め工場で製造した複数の建物ユニットを建築現場へ輸送して、建築現場で組み合わせることで構築できるようにしたユニット建物などがある。
【０００３】
上記した建物ユニットは、外壁材が取付けられた状態で工場から出荷される。建物ユニットに対する外壁材の取付けには、例えば、特許文献１や特許文献２に開示されたような外壁取付金具が用いられる。
【先行技術文献】
【特許文献】
【０００４】
【特許文献１】特開２０１６−１０４９５３号公報
【特許文献２】特開２０１６−１２５２３０号公報
【発明の概要】
【発明が解決しようとする課題】
【０００５】
ユニット建物では、工場で製造した建物ユニットを建築現場へ輸送する際に、外壁材が輸送振動などで建物ユニットに対して横ズレするおそれがあった。
【０００６】
そこで、本発明は、主に、上記した問題点を解決することを目的としている。
【課題を解決するための手段】
【０００７】
上記課題を解決するために、本発明は、
建物に取付けられた外壁材の横ズレを防止可能な金具本体が設けられ、該金具本体が、前記外壁材の側面を位置規制可能な規制面と、該規制面を建物に固定可能な固定面とを有する平面視Ｌ字状のものとされ、
前記固定面が、前記外壁材間に形成される目地部の幅よりも短い幅寸法を有しており、
把持部と、前記固定面の幅寸法と同じかそれよりもよりも細い挿入端を備えていると共に、該挿入端が、前記規制面を吸着保持可能な吸着部を有している金具取付用補助具によって取付けられる外壁横ズレ防止金具を特徴としている。
【発明の効果】
【０００８】
本発明によれば、上記構成によって、外壁材が建物ユニットに対して横ズレするのを防止し得るようにすることなどができる。
【図面の簡単な説明】
【０００９】
【図１】外壁材が設置された建物ユニット（建物）をトラックで輸送する状態を示す図である。
【図２】外壁取付金具によって外壁材が上下に取付けられた建物ユニットの部分的な側面図である。
【図３】外壁取付金具によって最上段の外壁材が取付けられた建物ユニットの部分的な側面図である。
【図４】本実施の形態にかかる外壁横ズレ防止金具を建物ユニットのコーナー部に位置する小型の外壁材に対して設置した状態を示す部分拡大斜視図である。
【図５】図４の部分拡大側面図である。
【図６】外壁横ズレ防止金具の斜視図である。
【図７】外壁横ズレ防止金具を示す図であり、（ａ）は規制面を正面から見た図、（ｂ）は固定面を正面から見た図、（ｃ）は平面図である。
【図８】金具取付用補助具を使用している状態を示す図５と同様の図である。
【図９】金具取付用補助具を使用した外壁横ズレ防止金具の取付け作業の様子を示す図５と同様の図である。
【図１０】外壁材に横ズレが生じた建物ユニットの側面図である。
【図１１】外壁材の横ズレを調整する様子を示した建物ユニットの側面図である。
【発明を実施するための形態】
【００１０】
以下、本実施の形態を、図面を用いて詳細に説明する。
図１〜図１１は、この実施の形態を説明するためのものである。
【実施例１】
【００１１】
＜構成＞以下、構成について説明する。
【００１２】
戸建住宅などの建物には、図１に示すように、予め工場で製造した建物ユニット１を建築現場へ輸送して、建築現場で複数の建物ユニット１を組み合わせることによって構築できるようにしたユニット建物などがある。
【００１３】
上記した建物ユニット１は、外壁材２が取付けられた状態で工場から出荷される。建物ユニット１の輸送には、トラックなどの車両３が用いられる。
【００１４】
ここで、建物ユニット１には、木質系のものと鉄骨系のものとが存在している。木質系の建物ユニット１は、床パネルと、天井パネルと壁パネルとを組み合わせた直方体状のユニット本体を有している。
【００１５】
また、鉄骨系の建物ユニット１は、４本の金属製の柱の上端部間を４本の金属製の天井梁で矩形状に連結すると共に、金属製の４本の金属製の柱の下端部間を４本の金属製の床梁で矩形状に連結して成るボックスラーメン構造のユニットフレームを有する直方体状のユニット本体を備えている。
【００１６】
建物ユニット１における外壁材２の取付けには、例えば、図２、図３に示すような外壁取付金具４，５が用いられる。
【００１７】
外壁材２は、建物ユニット１（建物）に対し上下方向６に多段状に設置される。上下の外壁材２は、下側のものから順に設置される。外壁材２は、建物ユニット１のユニット本体に設置された下地材７（例えば、下地面材７ａや下地枠材７ｂなど）に対し上記した外壁取付金具４，５を用いて取付けられる。
【００１８】
外壁取付金具４，５には、図２に示すように、上下に位置する２枚の外壁材２を同時に取付けるようにしたもの（外壁取付金具４）と、図３に示すように、最上段に位置する１枚の外壁材２のみを取付けるようにしたもの（外壁取付金具５）とが存在している。
【００１９】
外壁取付金具４，５は、それぞれ建物（建物ユニット１の下地材７）に取付け可能な取付面１１と、外壁材２の背面を当接保持可能な外壁保持部１２と、外壁保持部１２と取付面１１とを（通気隙間となる）間隔Ｓを有して連結する連結部１３と、外壁材２の上縁部や下縁部を係止可能な係止部１４，１５と、を有するものとされる。
【００２０】
そして、図２の外壁取付金具４では、下段の外壁材２の上縁部に係止部１４（の爪部１４ａ）を係止させた状態にして、取付面１１を建物ユニット１の下地材７にビス１６で固定することによって、下段の外壁材２の上縁部を、外壁取付金具４を介して建物ユニット１に保持し得るようにしている。
【００２１】
次に、外壁取付金具４の係止部１４（の爪部１４ｂ）に上段の外壁材２の下縁部を係止させることによって上段の外壁材２の下縁部を建物ユニット１に保持し得るようにしている。そして、上記を下から順に繰り返し行うことで、外壁材２を上下方向６に多段に設置することが可能となる。
【００２２】
また、図３の外壁取付金具５では、最上段となった外壁材２の上縁部に係止部１５（の爪部１５ａ）を係止させた状態にして、取付面１１を建物ユニット１の下地材７にビス１６で固定することによって、最上段の外壁材２の上縁部を外壁取付金具５を介して建物ユニット１に保持し得るようにしている。
【００２３】
そして、以上のような基本的な構成に対し、この実施例は、以下のような構成を備えている。
【００２４】
（１Ａ）先ず、図４〜図１１を用いて外壁横ズレ防止金具２１について説明する。
図４、図５に示すように、建物（建物ユニット１）に取付けられた外壁材２の横ズレ（図１０の矢印参照）を防止可能な外壁横ズレ防止金具２１が設けられる。
そして、図６、図７に示すように、この外壁横ズレ防止金具２１の金具本体が、外壁材２の側面２２（図５参照）を位置規制可能な規制面２５と、規制面２５を建物に固定可能な固定面２６とを有する平面視Ｌ字状のもの（アングル材）とされる。
【００２５】
ここで、外壁材２の横ズレは、直方体状をした建物ユニット１の面に沿った外壁材２の水平方向（左右方向）などへの位置ズレのことである。この位置ズレは、主に、建物ユニット１を建築現場へ輸送する際の輸送振動などによって発生するもの（輸送ズレ）である。よって、このような横ズレは、ユニット建物のような（建物ユニット１の）輸送を伴わない建物の場合にはほとんど見られないものである。
【００２６】
そのため、外壁横ズレ防止金具２１は外壁材２を取付けた状態での輸送を伴う建物にとって特有のものであり、外壁材２を取付けた状態での輸送を伴わない建物については、このような外壁材２の横ズレが発生しないので、外壁横ズレ防止金具２１は特に必要のないものである（但し、外壁横ズレ防止金具２１は、外壁材２を取付けた状態での輸送を伴わない建物に対して取付けることもできる）。
【００２７】
この実施例では、外壁横ズレ防止金具２１は、外壁取付金具４，５とは別の部材として独立して設けられる。外壁横ズレ防止金具２１は、例えば、ステンレス鋼板やメッキ鋼板などの金属製の平板材によって構成される。なお、外壁材２の横ズレは、建物ユニット１のコーナー部などに位置する小型の外壁材２（２Ａ）などに生じ易く、また、この小型の外壁材２（２Ａ）に隣接する外壁材２にも生じ易い。横ズレは、例えば、ほぼ１ｍｍ以上の大きさのズレとされる。
【００２８】
外壁材２の側面２２は、（建物に設置された状態の）外壁材２の左右端に位置して上下方向６へ延びる縁部（左右の端縁部）のことである。
【００２９】
規制面２５は、外壁材２の側面２２に沿って上下方向６へ延び、外壁材２の側面２２に当接される面である。
【００３０】
固定面２６は、直方体状をした建物ユニット１（の下地材７）の面などに沿って上下方向６へ延びる面である。規制面２５と固定面２６は、上下方向６の位置および長さをそれ別々に設定しても良いが、この場合には、上下方向６の位置および長さ共に等しいものとされている。固定面２６には、単数または複数のネジ孔２８が設けられる。この場合、ネジ孔２８は、上下に隔てて２個設けられている。但し、外壁横ズレ防止金具２１の構造は、上記に限るものではない。
【００３１】
（１Ｂ）図６に示すように、固定面２６が、外壁材２間に形成される目地部３１（図５参照）の幅３２よりも短い幅寸法３３を有するものとされる（目地部３１の幅３２＞固定面２６の幅寸法３３）。そして、外壁横ズレ防止金具２１は、後述する金具取付用補助具５１によって取付けられるものとされている。
【００３２】
ここで、目地部３１は、左右の外壁材２の相対向する側面２２間に位置して上下方向６へ延びる溝状をした隙間（縦目地）のことである。目地部３１の幅３２は、ほぼ１０ｍｍ前後に設定される。この目地部３１には、仕上げとして、ガスケットが挿入されたり、目地材が充填されたりすることになる。
【００３３】
固定面２６の幅寸法３３は、その建物の目地部３１の幅３２に応じて設定すれば良い。この場合には、固定面２６の幅寸法３３は、約１０ｍｍ以下とされる。
【００３４】
なお、外壁横ズレ防止金具２１を目地部３１以外の位置に設置する場合には、固定面２６の幅寸法３３は、設置する位置に応じて設定すれば良く、この場合には、目地部３１との関連性がなくなるので、例えば、目地部３１の幅３２より長くなっても良い。
【００３５】
（２）少なくとも規制面２５および固定面２６のうちの一方の、少なくとも１つの角部３５を角取りしても良い（角取部３６）。
【００３６】
ここで、角取りを行うことができる規制面２５の角部３５は、固定面２６に接していない側の上下２つのコーナー部となる。また、角取りを行うことができる固定面２６の角部３５は、規制面２５に接していない側の上下２つのコーナー部となる。
【００３７】
角取りは、角部３５を鈍らせることであり、角部３５を斜めに切り欠くことや丸めることなどが広く含まれる。この場合、規制面２５および固定面２６の全ての角部３５を丸めるようにしている。
【００３８】
（３）平面視Ｌ字状をした金具本体における、規制面２５と固定面２６との屈曲角度４１を鈍角としても良い。
【００３９】
ここで、外壁横ズレ防止金具２１は、１枚の矩形状をした平板材を上下方向６へ延びる折線に沿って２つに折り曲げることで折線の両側に規制面２５と固定面２６とを形成したものとなっており、この折線を挟んだ規制面２５と固定面２６との折り曲げの角度が規制面２５と固定面２６との屈曲角度４１となっている。
【００４０】
そして、この屈曲角度４１を、９０°よりも若干大きい角度にする。屈曲角度４１は、例えば、９１°〜１００°、好ましくは、９５°などとなるように設定している。
【００４１】
（４）図２、図３に示すように、外壁材２が、外壁材２同士の継ぎ目部分に重ね合わせ用の段差部４２を有している。
この場合に、（外壁横ズレ防止金具２１の）規制面２５が、段差部４２の段差面４２ａまでの高さ４５と同じかそれよりも短い幅寸法４６（図６参照）を有するようにしても良い（高さ４５＞規制面２５の幅寸法４６）。
【００４２】
ここで、外壁材２同士の継ぎ目部分は、主に、外壁材２の上縁部と下縁部との間などに設けられている。
【００４３】
重ね合わせ用の段差部４２は、外壁材２の上縁部の外側を切り欠いて設けられた雄型（または凸型）のものと、外壁材２の下縁部の内側を切り欠いて設けられた雌型（または凹型）のものとによる合決り部（あいじゃくりぶ）などとされている。
【００４４】
なお、上記した外壁取付金具４，５の爪部１４ａ，１５ａは、外壁材２の上縁部の雄型の段差部４２に設けられた下り勾配の斜面に上側から係止されている。また、上記した外壁取付金具４の爪部１４ｂは、外壁材２の下縁部の雌型の段差部４２に設けられた上り勾配の斜面に下側から係止されている。
【００４５】
段差面４２ａまでの高さ４５は、建物ユニット１の下地材７の表面から、段差面４２ａまでの距離のことである。この高さ４５には、外壁材２と下地材７との間隔Ｓ（連結部１３の幅寸法）の分も含まれている。規制面２５の幅寸法４６は、例えば、約２０ｍｍなどとされる。
【００４６】
（５）以下、外壁横ズレ防止金具２１を用いた外壁設置構造について説明する。
【００４７】
この外壁設置構造では、図２、図３に示すように、建物に外壁材２が取付けられる。そして、この外壁材２が、図４、図５に示すように、上記した外壁横ズレ防止金具２１によって横ズレを防止可能に位置規制されている。
【００４８】
ここで、上記したように、外壁材２は、外壁取付金具４，５を用いて建物に取付けられる。外壁横ズレ防止金具２１は、上下反転させたものをセットとして、外壁材２の左右両側に適宜設置することができる。外壁横ズレ防止金具２１は、特に、外壁材２の左右両側に形成される目地部３１の内部に設置するのが好ましい。但し、横ズレの方向が予め分っているような場合には、外壁横ズレ防止金具２１は、外壁材２の片側のみに単独で設けるようにしても良い。
【００４９】
外壁横ズレ防止金具２１の上下方向６の設置位置については、上下の外壁材２同士の継ぎ目部分の位置や、各外壁材２の上下方向６の中間位置などとすることができる。外壁横ズレ防止金具２１を上下の外壁材２同士の継ぎ目部分に設置した場合には、上下の外壁材２の位置ズレを同時に防止して、上下の外壁材２の側面２２の位置を揃えることが可能となる。
【００５０】
この場合、外壁横ズレ防止金具２１は、建物ユニット１の出隅となるコーナー部分に設置される平面視Ｌ字状をした小型の外壁材２（２Ａ）や、小型の外壁材２（２Ａ）に隣接する外壁材２や、その他の外壁材２などに対して設置される。なお、平面視Ｌ字状をした小型の外壁材２（２Ａ）は、１部材で構成しても良いし、または、２部材で（一体または別体に）構成しても良い。
【００５１】
（６）以下、図８、図９に示すような、金具取付用補助具５１（外壁横ズレ防止金具取付用補助具）について説明する。
この金具取付用補助具５１は、外壁横ズレ防止金具２１を建物に取付けるために用いるものであり、把持部５２と、固定面２６の幅寸法３３とほぼ同じかそれよりも細くなるように設けられた挿入端５３とを備えたものとする。そして、この挿入端５３が、規制面２５を吸着保持可能な吸着部５４を有している。
【００５２】
ここで、金具取付用補助具５１は、金属製や樹脂製などの細長い棒状や細長い帯板状の補助具本体を有するものなどとされる。
【００５３】
そして、把持部５２は、金具取付用補助具５１のうち挿入端５３以外の部分とすることができる。例えば、補助具本体の一端側（後端側）や補助具本体の中間部などに（１箇所または２箇所以上）設けることができる。また、挿入端５３は、目地部３１などの内部へ挿入可能とした補助具本体の他端部（先端部）や補助具本体の両端部などに（１箇所または２箇所以上）設けられる。挿入端５３は、例えば、目地部３１の奥行き寸法とほぼ同じかそれよりも長いものとされる。把持部５２や挿入端５３が複数箇所設けられる場合には、補助具本体は二股状などに分岐される。
【００５４】
金具取付用補助具５１は、例えば、直線状のものとしても良いし、または、Ｌ字状やＺ字状やＵ字状などに曲げたものなどとしても良い。或いは、補助具本体は、金具取付用補助具５１を取付ける部分の状況に応じて使用時などに自由に曲げられるように可動部分などを有していても良い。
【００５５】
吸着部５４は、目地部３１へ挿入して外壁横ズレ防止金具２１に吸着できるものなら何でも良く、例えば、や吸盤などとすることができる。この場合には、磁石としている。
【００５６】
金具取付用補助具５１は、吸着部５４で上下のネジ孔２８の中間位置（などのネジ孔２８にかからない位置）を吸着した状態にして、外壁横ズレ防止金具２１を外壁材２の側面２２に押し付けるように使用するものとなる。
【００５７】
＜作用＞以下、この実施例の作用について説明する。
【００５８】
予め工場で製造した複数の建物ユニット１を建築現場へ輸送して、建築現場で組み合わせることでユニット建物を構築する。
【００５９】
上記した建物ユニット１は、外壁材２を取付けた状態にして工場から出荷する。
【００６０】
工場では、外壁材２を、例えば、図２、図３に示すような外壁取付金具４，５を用いて建物ユニット１に取付けるようにする。その後、図４、図５に示すように、外壁材２間の目地部３１などに外壁横ズレ防止金具２１を取付けて、外壁材２の横ずれを防止し得るようにして、工場から出荷できる状態にする。
【００６１】
＜効果＞この実施例によれば、以下のような効果を得ることができる。
【００６２】
（効果１Ａ）図４、図５に示すように、建物に取付けられた外壁材２の横ズレを防止可能な外壁横ズレ防止金具２１を設けた。図６、図７に示すように、この外壁横ズレ防止金具２１の金具本体を、規制面２５と固定面２６とを有する平面視Ｌ字状のものとした。そして、規制面２５が建物の外壁材２の側面２２を位置規制し、固定面２６が規制面２５を建物に固定するようにした。
【００６３】
これにより、例えば、建物が、予め工場で製造した複数の建物ユニット１を建築現場へ輸送して、建築現場で組み合わせることによって構築するようにしたユニット建物などである場合に、建物ユニット１の輸送中に、輸送振動などで外壁材２が建物ユニット１に対して横ズレ（図１０参照）するのを、外壁横ズレ防止金具２１によって有効に防止することができる。
【００６４】
即ち、建物や建物ユニット１に対して外壁材２を取付ける際には、遊びやガタ付きなどの発生が避けられないため、この遊びやガタ付きなどによって、輸送中に外壁材２が横ズレを起こす可能性がある。これまでは、輸送中の外壁材２の横ズレを防止するために、例えば、外壁材２を建物に釘などで直接固定するなどしていたが、このようにすると、外壁材２に傷を付けることになるので好ましくない。
【００６５】
これに対し、上記した外壁横ズレ防止金具２１を用いることで、外壁材２の遊びやガタ付きなどを抑制して横ズレを有効に防止できることから、外壁材２の横ズレ防止のために、外壁材２を建物に釘などで直接固定する必要がなくなるので、外壁材２を傷付けなくて済むようになる。
【００６６】
よって、建物の外観品質を向上することができると共に、外壁材２を建物に釘などで直接固定した時にできる傷を補修する作業をなくすことや、外壁材２に傷を補修した痕などが残って性能（品質性能や外観性能など）が低下することを防止できる。
【００６７】
しかも、この外壁横ズレ防止金具２１を用いた場合には、外壁材２を建物に釘などで直接固定しなくて済むので、外壁材２の取付け後や建物ユニット１の輸送後などに、必要に応じて、外壁材２の位置調整を行うこと（例えば、図１１に示すように、外壁材２をゴムハンマーなどで叩いて外壁材２の位置をずらして横ズレを微調整すること）なども可能となる。
【００６８】
更に、外壁横ズレ防止金具２１は、独立した部品となっているので、建物ユニット１の輸送後などに取り外すこともできる。
【００６９】
（効果１Ｂ）外壁横ズレ防止金具２１の固定面２６は、外壁材２間の目地部３１の幅３２よりも短い幅寸法３３にしても良い。これにより、目地部３１などのような狭い隙間の部分に対して外壁横ズレ防止金具２１を確実に取付けることが可能になる。
【００７０】
そして、外壁横ズレ防止金具２１が、外壁材２間の目地部３１などに設置するのに最適な大きさとなっていれば、図９に示すように、ビス５６などの一般的な取付具や、電動ドライバー５７などの一般的な取付工具などを用いて外壁横ズレ防止金具２１を建物に取付けることが可能となる。よって、特別な取付具や取付工具などを使う必要がない。
【００７１】
そして、外壁横ズレ防止金具２１を、外壁材２間の目地部３１などに設置することにより、外壁材２や建物における外部から見える部分などを傷付けることなく外壁横ズレ防止金具２１を目立たないように取付けることができ、また、外壁横ズレ防止金具２１を取り外した時に、取付け痕が目立たないようにすることも可能となる。
【００７２】
（効果２）外壁横ズレ防止金具２１における規制面２５や固定面２６の角部３５は、角取りしても良い。これにより、尖った角部３５が無くなったり少なくなったりするので、作業の安全性を向上すると共に、角部３５によって外壁材２や建物の取付面１１などを不用意に傷付けてしまうことを防止できる。
【００７３】
（効果３）外壁横ズレ防止金具２１の規制面２５と固定面２６との屈曲角度４１は鈍角にしても良い。これにより、外壁材２の側面２２に規制面２５が当接するようにしつつ外壁横ズレ防止金具２１を建物に取付けることによって、規制面２５が固定面２６と直角になるように強制的に弾性変形されるので、弾性変形を復帰しようとする力によって規制面２５が外壁材２の側面２２に密着（弾接）されることになる。そのため、外壁材２の側面２２が規制面２５によって押圧保持され、外壁材２が所定の位置へ戻るように常時付勢されるようになる。これにより、外壁横ズレ防止金具２１による外壁材２に対する横ズレ防止機能を高めることができる。
【００７４】
（効果４）外壁横ズレ防止金具２１の規制面２５を、外壁材２の段差部４２の段差面４２ａまでの高さ４５と同じかそれよりも短い幅寸法４６にしても良い。これにより、輸送振動などによって外壁材２が横ズレしてしまった場合に、外壁材２の側面２２の表面側の部分を切削して横ズレの状態が外部から分からなくなるように修正することができるようになり、比較的簡単に外観品質の向上を図ることができる。
【００７５】
なお、外壁材２が横ズレした場合、これまでは、図１１に示すように、外壁材２をゴムハンマーなどで叩いて横ズレを微調整する手段しか存在しておらず、手間がかかっていた。しかし、外壁横ズレ防止金具２１を用いることにより、上記したような外壁材２をゴムハンマーなどで叩くようにする横ズレの微調整が基本的に不要になると共に、必要な場合には、外壁材２をゴムハンマーなどで叩くようにする横ズレの微調整を行うことと、外壁材２の側面２２の表面側の部分を切削する修正との両方が可能となり、外観品質を向上するための修正手段を増やすことができる。
【００７６】
（効果５）上記した外壁設置構造によれば、上記した外壁横ズレ防止金具２１と同様の作用効果を得ることができる。
【００７７】
（効果６）図８、図９に示すように、把持部５２と、吸着部５４を有する挿入端５３とを備えた金具取付用補助具５１を設けるようにしても良い。これにより、外壁材２間の目地部３１などのような狭い隙間へ外壁横ズレ防止金具２１を設置する際に、狭い隙間へ挿入端５３を挿入し、挿入端５３に設けられた吸着部５４を外壁横ズレ防止金具２１（の規制面２５）に吸着させて、外壁横ズレ防止金具２１を確実に保持することができるようになる。
【００７８】
よって、金具取付用補助具５１を用いることで、外壁横ズレ防止金具２１を確実に押さえた状態で、外壁横ズレ防止金具２１の固定を行うことが可能となるので、外壁材２間の目地部３１などの狭い隙間に対して外壁横ズレ防止金具２１を容易に取付けることができると共に、取付け時の作業性を良いものとすることができる。更に、金具取付用補助具５１を用いることで、外壁横ズレ防止金具２１の取付けを一人作業で行うことが可能になる。
【００７９】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００８０】
１      建物ユニット（建物）
２      外壁材
２１    外壁横ズレ防止金具
２２    側面
２５    規制面
２６    固定面
３１    目地部
３２    幅
３３    幅寸法
３５    角部
４１    屈曲角度
４２    段差部
４２ａ  段差面
４５    高さ
４６    幅寸法
５１    金具取付用補助具
５２    把持部
５３    挿入端
５４    吸着部
【図１】
2018119264.tif 000003
【図２】
2018119264.tif 000004
【図３】
2018119264.tif 000005
【図４】
2018119264.tif 000006
【図５】
2018119264.tif 000007
【図６】
2018119264.tif 000008
【図７】
2018119264.tif 000009
【図８】
2018119264.tif 000010
【図９】
2018119264.tif 000011
【図１０】
2018119264.tif 000012
【図１１】
2018119264.tif 000013